(57)【要約】【課題】  手持ち食器が置かれたことに連動して一部が動く手持ち食器箸置きを提供する。【解決手段】  下部ケース１２の開口部１２ｂから突出する受部１４ａに例えばスプーン２１のような物品が置かれた場合に、下部ケース１２に設けられたベース部材１４の他端部１４ｂに上移動の力が伝達され、ベース部材１４の他端部１４ｂの上移動の力が介在部材１８に伝達され、介在部材１８の上移動の力をアーム部材１５の突起部１５ｃが受け、上部ケース１３の開口部１３ａから外部に突出するアーム部材１５の遠端部１５ａが動く。【選択図】  図１
2012024419.tif 000002
【特許請求の範囲】
【請求項１】
上面に模型部材が設けられた下部ケースと、
前記下部ケースに設けられた開口部から突出し、手持ち食器の一部を載せるための受部を一端に有し、前記下部ケース内の軸受け部に回転軸が軸支されるベース部材と、
前記模型部材に設けられ、前記受部に前記手持ち食器を載置させた際に可動する可動部材と、を備える手持ち食器置き。
【請求項２】
請求項１において、
前記ベース部材の他端部の移動を伝達して前記可動部材を可動させる介在部材を有する手持ち食器置き。
【請求項３】
請求項１又は請求項２において、
前記手持ち食器が前記受部に置かれた場合に、前記受部が内部に降下することに連動して前記ベース部材の他端部が上昇し、前記ベース部材の他端部が上昇することに連動して前記介在部材が上昇し、前記介在部材の上昇に連動して前記可動部材が上昇する手持ち食器置き。
【請求項４】
請求項１乃至請求項３のいずれか一項において、
前記可動部材の遠端部と、前記可動部材に設けられた軸受け部との間に設けられ、前記介在部材の上下移動を受ける突起部を有する手持ち食器置き。
【請求項５】
請求項４において、
前記介在部材の上部と前記可動部材の突起部とが、摺動自在に接触する手持ち食器置き。
【請求項６】
請求項１乃至請求項５のいずれか一項において、
前記ベース部材の他端部と前記介在部材の下部とが、摺動自在に接触する手持ち食器置き。
【請求項７】
請求項１乃至請求項６のいずれか一項において、
前記ベース部材の受部の上面が下方向に湾曲している手持ち食器置き。
【発明の詳細な説明】
【技術分野】
【０００１】
本発明は、箸、スプーン、フォーク等の食器置きに関する。
【背景技術】
【０００２】
従来、果物や動物の形をした箸置きが知られている(特許文献１参照)。特許文献１には、密閉された中空部を有する透明の容器と、この中空部に収容される適当な量の液体と、これ以外の部分に収容される気体とからなる箸置きについて開示されている。
【先行技術文献】
【特許文献】
【０００３】
【特許文献１】特開２００３−２６５２９６号公報
【発明の概要】
【発明が解決しようとする課題】
【０００４】
しかしながら、従来の箸置きにあっては、単に静止して置かれているものであるので、箸などの物品が置かれたとしても、箸置きの一部を動かすことができない構成になっているため、面白みに欠けるといった問題があった。
【０００５】
そこで、本発明は、上記の問題を鑑みてなされたものであり、物品が置かれたことに連動して一部が動く手持ち食器置きを提供することを目的とする。
【課題を解決するための手段】
【０００６】
本発明の手持ち食器置きは、上面に模型部材が設けられた下部ケースと、下部ケースに設けられた開口部から突出し、手持ち食器の一部を載せるための受部を一端に有し、下部ケース内の軸受け部に回転軸が軸支されるベース部材と、模型部材に設けられ、受部に前記手持ち食器を載置させた際に可動する可動部材とを備える。
【０００７】
本発明の手持ち食器置きにおいて、ベース部材の他端部の移動を伝達して可動部材を可動させる介在部材を有することが好ましい。また、本発明の手持ち食器置きにおいて、手持ち食器が受部に置かれた場合に、受部が内部に降下することに連動してベース部材の他端部が上昇し、ベース部材の他端部が上昇することに連動して介在部材が上昇し、介在部材の上昇に連動して可動部材が上昇することが好ましい。また、本発明の手持ち食器置きにおいて、可動部材の遠端部と、可動部材に設けられた軸受け部との間に設けられ、介在部材の上下移動を受ける突起部を有することが好ましい。また、本発明の手持ち食器置きにおいて、ベース部材の他端部と介在部材の下部とが、摺動自在に接触することが好ましい。また、本発明の手持ち食器置きにおいて、介在部材の上部と可動部材の突起部とが、摺動自在に接触することが好ましい。
【発明の効果】
【０００８】
本発明に係る手持ち食器置きによれば、手持ち食器が置かれたことに連動して一部が動く手持ち食器を構成することができ、手持ち食器の利用者に興味性が増し、箸置きに箸やスプーンやフォークのような物品を置くことにより楽しみを喚起することができる。
【図面の簡単な説明】
【０００９】
【図１】本発明の実施形態による箸置きの一例を示す斜視図である。
【図２】本発明の実施形態による箸置きの一例を背面から見た状態の斜視図である。
【図３】本発明の実施形態による箸置きの一例であり、背面蓋を取り去った状態を示す背面から見た状態の斜視図である。
【図４】本発明の実施形態による箸置きの一例であり、下方から見た状態の斜視図である。
【図５】本発明の実施形態による箸置きの一例であり、背面蓋を取り去った状態を示し、介在部材がある、背面から見た状態の斜視図である。
【図６】本発明の実施形態による箸置きの一例であり、上部ケースと下部ケースとに分離した状態の斜視方向から見た状態の写真である。
【図７】本発明の実施形態による箸置きの一例にスプーンを置いた例であり、背面から見た状態を示す図である。
【発明を実施するための形態】
【００１０】
以下、本発明に係る好適な実施の形態について、図面を参照しながら詳細に説明する。なお、実施の形態の説明の全体を通じて同じ要素には同じ符号を付して説明する。各図に示す３次元の座標系において、ｚ軸は例えば地球の重力と逆方向を示し、ｘ軸は箸置きの正面に対して右方向を示し、ｙ軸は箸置きの正面に対して奥行き方向とは逆方向を示している。
【００１１】
図１は、本発明の実施形態による箸置きの一例を示す斜視図である。
図１に示す箸置き１１は、下部ケース１２と、下部ケース１２に対してほぼ直角に配置される上部ケース（模型部材）１３とを有する手持ち食器置き置きである。下部ケース１２には開口部１２ａが設けられており、開口部１２ａからベース部材１４の受部１４ａが突出するように構成されている。この受部１４ａは手持ち食器を載せる箇所となる。上部ケース１３に開口部１３ａが設けられ、開口部１３ａから外部にアーム部材１５の遠端部１５ａが突出するように構成されている。このアーム部材１５は、受部１４ａに手持ち食器を載置させた際に可動するように構成されている。
【００１２】
なお、本実施の形態では、下部ケース１２と上部ケース（模型部材）１３とは別部材となっているが、必ずしも別部材である必要はなく、下部ケース上の上側に上部ケースが設けられていれば下部ケースと上部ケースが一体的に形成されていてもよい。また、本実施の形態において、上部ケースとして人形を模した部材を用いているが、キャラクタ等の人形を模した形状の部材を用いることにより、興趣性の高い箸置きを提供することができる。なお、上部ケースとして、複数のキャラクタを利用した形状の部材を用いてもよい。また、本実施の形態において、受部１４ａの上面は下方向（−ｚ方向）に湾曲している。受部１４ａの上面を湾曲させることにより、受部１４ａに手持ち食器を載せやすくすることができる。
【００１３】
図２は、本発明の実施形態による箸置きの一例を背面から見た状態の斜視図である。箸置き１１の背面において、上部ケース１３の背面に背面蓋１６が係合されている状態を示している。
【００１４】
図３は、本発明の実施形態による箸置きの一例であり、箸置き１１から背面蓋１６を取り去った状態を示す背面から見た状態の斜視図である。上部ケース１３の略中央部に回転軸１３ｃが突出するように構成されており、この回転軸１３ｃには２つのアーム部材１５，１５の軸受け部１５ｂが軸支されるように構成されている。アーム部材１５は、軸受け部１５ｂが軸支されることで回転可能になっており、アーム部材１５の下方には突起部１５ｃが設けられ、さらに、上部ケース１３の開口部１３ａから外部に遠端部１５ａを突出するように構成されている。アーム部材１５の遠端部１５ａと軸受け部１５ｂとの間の下方部には突起部１５ｃを設けられており、受部１４ａに食器を置いた場合にアーム部材１５の遠端部１５ａが上昇するように構成されている。アーム部材の遠端部１５ａと軸受け部１５ｂとの間に突起部を設けることにより、受部１４ａに食器が置かれた場合に、アーム部材１５の遠端部１５ａを上昇させることができる。
【００１５】
図４は、本発明の実施形態による箸置きの一例であり、下方から見た状態の斜視図である。図３及び図４に示すように、上部ケース１３は下方の端部にある３つのツメ１３ｄが下部ケース１２の開口部１２ｂに嵌合している状態にある。図４に示すように、下部ケース１２の内部の略中央部両側には軸受け部１２ｃが設けられており、この軸受け部１２ｃにベース部材１４の回転軸が軸支されることで回転可能に構成されている。また、上部ケース１３の下部には開口部１３ｂが設けられており、図４に示すように、この開口部１３ｂを介して介在部材１８の下端部の一部がその姿を現している。この介在部材１８は、ベース部材１４の他端部１４ｂの上下移動を伝達してアーム部材１５を可動させる。なお、ベース部材１４の移動によってアーム部材を可動させることができれば、必ずしもこれに限定されることはなく、例えば、介在部材を設けず、ベース部材１４の他端部１４ｂで直接アーム部材１５を可動させる構造としてもよい。
【００１６】
図５は、本発明の実施形態による箸置きの一例であり、背面蓋を取り去った状態を示し、介在部材がある、背面から見た状態の斜視図である。図５に示すようにベース部材１４の受部１４ａに食器が置かれていない場合には、下部ケース１２の開口部１２ａからベース部材１４の受部１４ａが突出するように構成されている。すなわち、ベース部材１４の回転軸を中心に、介在部材１８の重みでベース部材１４の他端部１４ｂが下方に静止し、受部１４ａの方が上方に静止するように構成されていることで、開口部１２ａからベース部材の受部１４ａが突出する。
【００１７】
また、ベース部材１４の受部１４ａに食器が置かれていない場合、介在部材１８は上部ケース１３の内部の低位置に静止して収容されている。詳しくは、ベース部材１４の受部１４ａに食器が置かれていない場合、ベース部材１４の他端部１４ｂの方が下方に静止しているので、ベース部材１４の他端部１４ｂが介在部材１８の下端部を上方に押し上げることはない。他方、ベース部材１４の受部１４ａに例えばスプーンが置かれた場合には、ベース部材１４の他端部１４ｂが介在部材１８の下端部に接触して上方向（ｚ軸方向）に上昇移動され、介在部材１８の上端部がアーム部材１５の突起部１５ｃを上昇させるので、上部ケース１３の回転軸１３ｃに軸支されてアーム部材１５の遠端部１５ａは上方（Ａ方向）に上昇移動される。
【００１８】
図６は、本発明の実施形態による箸置きの一例であり、上部ケースと下部ケースとに分離した状態の斜視方向から見た状態の写真である。本発明にかかる箸置きは、例えば樹脂から作られる構成である。図６に示すように、下部ケース１２の開口部１２ｂからベース部材１４の他端部１４ｂが姿を現している。上部ケース１３は下方の端部に３つのツメ１３ｄを有しており、これら３つのツメ１３ｄが下部ケース１２の開口部１２ｂに嵌合する。
【００１９】
図７は、本発明の実施形態による箸置きの一例にスプーンを置いた例であり、背面から見た状態を示す図である。ここで、図７を参照して、上述したように構成された箸置き１１の動作について説明する。図７に示すように、下部ケース１２の開口部１２ｂから突出する受部１４ａに例えばスプーン２１が置かれた場合に、下部ケース１２に設けられたベース部材１４の他端部１４ｂに上移動の力が伝達され、ベース部材１４の他端部１４ｂの上移動の力が介在部材１８に伝達され、介在部材１８の上移動の力をアーム部材１５の突起部１５ｃが受け、上部ケース１３の開口部１３ａから外部に突出するアーム部材１５の遠端部１５ａが動くので、スプーンが置かれたことに連動して一部が動く箸置きを構成することができ、箸置きの利用者に興味性が増し、箸置きに箸やスプーンやフォークのような食器を置くことにより楽しみを喚起することができる。
【００２０】
また、例えばスプーン２１のような食器が箸置き１１の受部１４ａに置かれた場合に、受部１４ａが下部ケース１２の内部に降下することに連動してベース部材１４の他端部１４ｂが上昇し、ベース部材１４の他端部１４ｂが上昇することに連動して介在部材１８が上昇し、介在部材１８の上昇に連動してアーム部材１５の突起部１５ｃが上昇してアーム部材１５の遠端部１５ａが上方（ｚ軸方向）に上昇するので、食器が置かれたことに連動して一部が動く箸置きを構成することができ、箸置きの利用者に興味性が増し、箸置きに箸やスプーンやフォークのような食器を置くことにより楽しみを喚起することができる。
【００２１】
ベース部材１４の他端部１４ｂと介在部材１８の下部とは、摺動自在に接触することで、ベース部材１４の他端部１４ｂの上昇に連動して介在部材１８の下部が、ベース部材１４の他端部１４ｂ上を摺動しながら上昇することができる。
【００２２】
介在部材１８の上部とアーム部材１５の突起部１５ｃとは、摺動自在に接触することで、介在部材１８の上昇に連動してアーム部材１５の突起部１５ｃが、介在部材１８の上部を摺動しながら上昇し、アーム部材１５の遠端部１５ａが上方（ｚ軸方向）に上昇することができる。
【００２３】
以上、本発明の好ましい実施例について詳述したが、本発明に係る箸置きは上述した実施例に限定されるものではなく、本発明の要旨の範囲内において、種々の変形、変化が可能である。例えば、本実施例では、アーム部材１５の遠端部１５ａと軸受け部１５ｂとの間の下方部に突起部１５ｃを設けているので、受部１２ａに物品を置いた場合にアーム部材１５の遠端部１５ａが上昇するという構造を示したが、逆に、アーム部材１５の遠端部１５ａと下方部の突起部１５ｃとの間に軸受け部１５ｂを設けることで、受部１２ａに物品を置いた場合にアーム部材１５の遠端部１５ａが下降するという構造としてもよい。
【００２４】
また、本発明にかかる手持ち食器置きは、樹脂から作られる構成としたが、本発明はこれに限定されず、金属や木材などから作られても良い。また、上部ケースとなる模型部材の例として人形の場合を例にとって説明したが、飛行機、動物、植物、建造物等の他のモチーフを用いたものであってもよい。
【符号の説明】
【００２５】
１１  箸置き（手持ち食器置き）
１２  下部ケース
１２ａ  開口部
１２ｂ  開口部
１２ｃ  軸受け部
１３  上部ケース（模型部材）
１３ａ  開口部
１３ｂ  開口部
１３ｃ  回転軸
１３ｄ  ツメ
１４  ベース部材
１４ａ  受部
１４ｂ  他端部
１５  アーム部材（可動部材）
１５ａ  遠端部
１５ｂ  軸受け部
１５ｃ  突起部
１６  背面蓋
１８  介在部材
２１  スプーン
【図１】
2012024419.tif 000003
【図２】
2012024419.tif 000004
【図３】
2012024419.tif 000005
【図４】
2012024419.tif 000006
【図５】
2012024419.tif 000007
【図６】
2012024419.tif 000008
【図７】
2012024419.tif 000009
【手続補正書】
【提出日】平成23年8月31日(2011.8.31)
【手続補正２】
【補正対象書類名】特許請求の範囲
【補正対象項目名】全文
【補正方法】変更
【補正の内容】
【特許請求の範囲】
【請求項１】
上面に模型部材が設けられた下部ケースと、
前記下部ケースに設けられた開口部から突出し、箸の一部を載せるための上面が下方向に湾曲した受部を一端に有し、前記下部ケース内の軸受け部に回転軸が軸支されるベース部材と、
前記模型部材に設けられ、前記受部に前記箸を載置させた際に可動する可動部材と、を備える箸置き。
【請求項２】
請求項１において、
前記ベース部材の他端部の移動を伝達して前記可動部材を可動させる介在部材を有する箸置き。
【請求項３】
請求項２において、
前記箸が前記受部に置かれた場合に、前記受部が内部に降下することに連動して前記ベース部材の他端部が上昇し、前記ベース部材の他端部が上昇することに連動して前記介在部材が上昇し、前記介在部材の上昇に連動して前記可動部材が上昇する箸置き。
【請求項４】
請求項２または請求項３において、
前記可動部材の遠端部と、前記可動部材に設けられた軸受け部との間に設けられ、前記介在部材の上下移動を受ける突起部を有する箸置き。
【請求項５】
請求項４において、
前記介在部材の上部と前記可動部材の突起部とが、摺動自在に接触する箸置き。
【請求項６】
請求項２乃至請求項５のいずれか一項において、
前記ベース部材の他端部と前記介在部材の下部とが、摺動自在に接触する箸置き。
【請求項７】
請求項１乃至請求項６のいずれか一項において、
前記ベース部材の受部の上面が下方向に湾曲している箸置き。
【手続補正３】
【補正対象書類名】明細書
【補正対象項目名】０００６
【補正方法】変更
【補正の内容】
【０００６】
本発明の箸置きは、上面に模型部材が設けられた下部ケースと、下部ケースに設けられた開口部から突出し、箸の一部を載せるための上面が下方向に湾曲した受部を一端に有し、下部ケース内の軸受け部に回転軸が軸支されるベース部材と、模型部材に設けられ、受部に前記箸を載置させた際に可動する可動部材とを備える。
【手続補正４】
【補正対象書類名】明細書
【補正対象項目名】０００７
【補正方法】変更
【補正の内容】
【０００７】
本発明の箸置きにおいて、ベース部材の他端部の移動を伝達して可動部材を可動させる介在部材を有することが好ましい。また、本発明の箸置きにおいて、箸が受部に置かれた場合に、受部が内部に降下することに連動してベース部材の他端部が上昇し、ベース部材の他端部が上昇することに連動して介在部材が上昇し、介在部材の上昇に連動して可動部材が上昇することが好ましい。また、本発明の箸置きにおいて、可動部材の遠端部と、可動部材に設けられた軸受け部との間に設けられ、介在部材の上下移動を受ける突起部を有することが好ましい。また、本発明の箸置きにおいて、ベース部材の他端部と介在部材の下部とが、摺動自在に接触することが好ましい。また、本発明の箸置きにおいて、介在部材の上部と可動部材の突起部とが、摺動自在に接触することが好ましい。